(57)【要約】 【課題】  ユーザごとに適切な商品購入を促進するための電子情報を提供することを目的とする。【解決手段】  家庭で単独で消費される消耗品（食料品等）を示す消耗品情報を家電情報保持部２０４が記憶しておき、店舗で販売される商品のうち販売促進対象となる商品を示す販売促進情報を通信部２０１は受信する。受信された販売促進情報と記憶されている消耗品情報とを商品推薦判断部２０５が比較して、販売促進情報に記述されていない商品が消耗品情報に記述されていた場合には、当該記述されていない商品を購入候補として選択する。そして、選択された商品を購入推薦情報としてユーザに情報提示部２０２が提示する。【選択図】  図２
2008027361.tif 000002
【特許請求の範囲】
【請求項１】
家庭で単独で消費される消耗品を示す消耗品情報を記憶する記憶手段と、
店舗で販売される商品のうち販売促進対象となる商品を示す販売促進情報を受信する受信手段と、
前記受信手段により受信された販売促進情報と前記記憶手段に記憶されている消耗品情報とを比較して、販売促進情報に記述されていない商品が消耗品情報に記述されていた場合には、当該記述されていない商品を購入候補として選択する商品選択手段と、
前記商品選択手段により選択された商品を購入推薦情報としてユーザに提示する提示手段と
を備える携帯端末。
【請求項２】
家庭用電気製品に装着されることで使用される消耗品を示す家電情報および家庭で単独で消費される消耗品を示す消耗品情報を記憶する記憶手段と、
店舗で販売される商品のうち販売促進対象となる商品を示す販売促進情報を受信する受信手段と、
前記受信手段により受信された販売促進情報と前記記憶手段に記憶されている消耗品情報とを比較して、販売促進情報に記述されていない商品が消耗品情報に記述されていた場合には、当該記述されていない商品を購入候補として選択するとともに、前記受信手段により受信された販売促進情報と前記記憶手段に記憶されている家電情報とを比較して、一致している商品が商品情報に記述されていた場合、当該記述されていた商品を購入候補として選択する商品選択手段と、
前記商品選択手段により選択された商品を購入推薦情報としてユーザに提示する提示手段と
を備える携帯端末。
【請求項３】
前記商品選択手段は、前記受信手段により受信された販売促進情報に記述されている商品の店舗における在庫状況を示す在庫情報に基づいて、商品を選択することを特徴とする請求項１または２に記載の携帯端末。
【請求項４】
請求項２に記載の携帯端末と、着脱自在な消耗品を有する家庭用電気製品と、店舗に配置される情報配信装置とから構成される商品販売促進システムにおいて、
前記家庭用電気製品は、
消耗品を示す家電情報または消耗品情報を記憶する消耗品情報記憶手段と、
前記携帯端末からの要求に応じて、前記消耗品情報記憶手段に記憶されている家電情報または消耗品情報を前記携帯端末に送信する消耗品情報送信手段と、
を備え、
前記情報配信装置は、
店舗で販売される商品のうち販売促進対象となる商品を示す販売促進情報を記憶する販売促進情報記憶手段と、
前記携帯端末からの要求に応じて前記携帯端末に、前記販売促進情報記憶手段に記憶されている販売促進情報を送信する販売促進情報送信手段と、
を備えることを特徴とする商品販売促進システム。
【請求項５】
前記家庭用電気製品は、さらに、
装着される消耗品の消耗程度を判断する判断手段を備え、
前記判断手段により前記消耗品が消耗していると判断された場合、その消耗品情報を前記消耗品情報記憶手段に記憶させることを特徴とする請求項４に記載の商品販売促進システム。
【請求項６】
家庭用電気製品に装着されることで使用される消耗品を示す家電情報および家庭で単独で消費される消耗品を示す消耗品情報を記憶する記憶ステップと、
店舗で販売される商品のうち販売促進対象となる商品を示す販売促進情報を受信する受信ステップと、
前記受信ステップにより受信された販売促進情報と前記記憶ステップに記憶されている消耗品情報とを比較して、販売促進情報に記述されていない商品が消耗品情報に記述されていた場合には、当該記述されていない商品を購入候補として選択するとともに、前記受信ステップにより受信された販売促進情報と前記記憶ステップに記憶されている家電情報とを比較して、一致している商品が商品情報に記述されていた場合、当該記述されていた商品を購入候補として選択する商品選択ステップと、
前記商品選択ステップにより選択された商品を購入推薦情報としてユーザに提示する提示ステップと
を備える商品販売促進方法。
【発明の詳細な説明】
【技術分野】
【０００１】
本発明は、携帯電話などユーザが携帯することができる携帯端末、これら携帯端末に対して商品販売促進情報を配信する商品販売促進システム、および商品販売促進方関する。
【背景技術】
【０００２】
近年、携帯端末を利用した情報配信システムが考えられている。この情報配信システムは、携帯端末のＩＤを利用することにより、ユーザ毎にカスタマイズされた情報配信を行うことができる。すなわち、商品販売促進のための電子情報を効率的に送信するシステムが考えられている。例えば、スーパーマーケット等の店舗における特売品の情報を、来店客に通知することができる情報配信システムは、電子メール等、携帯端末に直接、商品販売促進のための電子情報を配信することができる。この情報配信システムを用いた販売促進方法は、従来の広告チラシ等を用いる販売促進方法と比較して、商品販売促進のための情報をリアルタイムかつ直接的に来店客に提供できるといったメリットがある。
【０００３】
このような、販売促進方法として、特許文献１に記載の技術が挙げられる。この特許文献１では、管理サーバが特売品に関する特売情報とその特売品を用いたレシピを携帯端末に配信することにより、特売品情報に付加価値を付与することにより、集客力を向上させることが記載されている。
【０００４】
また、特許文献２の技術を挙げることができ、この特許文献２には、ユーザの情報端末からの電子メールまたはホームページ上からの入力による特売品検索の要求に対して、管理センタが特売情報を抽出し、顧客の情報端末に商品販売促進のための電子情報を生成して送信することにより、ユーザは本当に必要とする商品販売促進のための電子情報のみをリアルタイムで入手することができるが記載されている。
【特許文献１】特開２００３−２１６８６０号公報
【特許文献２】特開２００５−２０９１３４号公報
【発明の開示】
【発明が解決しようとする課題】
【０００５】
しかしながら、上述特許文献１に記載の技術は、ユーザが本当に必要とする商品の商品販売促進電子情報だけを提供するものではなく、従来の広告情報に付加価値の付いた情報を追記するものであるため、ユーザ毎に適切な商品販売促進のための電子情報を提供しているとはいえない。また、特許文献２は、ユーザの要求に応じた商品販売促進のための電子情報を提供するが、ユーザの要求が必要であり、ユーザに入力の手間がかかる問題がある。
【０００６】
そこで、本発明は、ユーザが要求することなく、ユーザごとに適切な商品購入を促進するための電子情報を提供することができる携帯端末、商品販売促進システム、および商品販売促進方法を提供することを目的とする。
【課題を解決するための手段】
【０００７】
上述の課題を解決するために、本発明の携帯端末は、家庭で単独で消費される消耗品を示す消耗品情報を記憶する記憶手段と、店舗で販売される商品のうち販売促進対象となる商品を示す販売促進情報を受信する受信手段と、上記受信手段により受信された販売促進情報と上記記憶手段に記憶されている消耗品情報とを比較して、販売促進情報に記述されていない商品が消耗品情報に記述されていた場合には、当該記述されていない商品を購入候補として選択する商品選択手段と、上記商品選択手段により選択された商品を購入推薦情報としてユーザに提示する提示手段とを備えている。
【０００８】
また、本発明の商品販売促進方法は、家庭用電気製品に装着されることで使用される消耗品を示す家電情報および家庭で単独で消費される消耗品を示す消耗品情報を記憶する記憶ステップと、店舗で販売される商品のうち販売促進対象となる商品を示す販売促進情報を受信する受信ステップと、上記受信ステップにより受信された販売促進情報と上記記憶ステップに記憶されている消耗品情報とを比較して、販売促進情報に記述されていない商品が消耗品情報に記述されていた場合には、当該記述されていない商品を購入候補として選択するとともに、上記受信ステップにより受信された販売促進情報と上記記憶ステップに記憶されている家電情報とを比較して、一致している商品が商品情報に記述されていた場合、当該記述されていた商品を購入候補として選択する商品選択ステップと、上記商品選択ステップにより選択された商品を購入推薦情報としてユーザに提示する提示ステップとを備えている。
【０００９】
この構成により、家庭で単独で消費される消耗品を示す消耗品情報を記憶しておき、店舗で販売される商品のうち販売促進対象となる商品を示す販売促進情報を受信し、受信された販売促進情報と記憶されている消耗品情報とを比較して、販売促進情報に記述されていない商品が消耗品情報に記述されていた場合には、当該記述されていない商品を購入候補として選択し、選択された商品を購入推薦情報としてユーザに提示することができる。これにより、ユーザごとに適切な商品購入を促進するための電子情報を提供することができる。
【００１０】
また、本発明の携帯端末は、家庭用電気製品に装着されることで使用される消耗品を示す家電情報および家庭で単独で消費される消耗品を示す消耗品情報を記憶する記憶手段と、店舗で販売される商品のうち販売促進対象となる商品を示す販売促進情報を受信する受信手段と、上記受信手段により受信された販売促進情報と上記記憶手段に記憶されている消耗品情報とを比較して、販売促進情報に記述されていない商品が消耗品情報に記述されていた場合には、当該記述されていない商品を購入候補として選択するとともに、上記受信手段により受信された販売促進情報と上記記憶手段に記憶されている家電情報とを比較して、一致している商品が商品情報に記述されていた場合、当該記述されていた商品を購入候補として選択する商品選択手段と、上記商品選択手段により選択された商品を購入推薦情報としてユーザに提示する提示手段とを備えている。
【００１１】
この構成により、家庭用電気製品に装着されることで使用される消耗品を示す家電情報および家庭で単独で消費される消耗品を示す消耗品情報を記憶しておき、店舗で販売される商品のうち販売促進対象となる商品を示す販売促進情報を受信し、受信された販売促進情報と記憶されている消耗品情報とを比較して、販売促進情報に記述されていない商品が消耗品情報に記述されていた場合には、当該記述されていない商品を購入候補として選択するとともに、受信された販売促進情報と記憶されている家電情報とを比較して、一致している商品が商品情報に記述されていた場合、当該記述されていた商品を購入候補として選択し、選択された商品を購入推薦情報としてユーザに提示することができる。これにより、ユーザごとに適切な商品購入を促進するための電子情報を提供することができる。さらに、消耗品情報については、家にない商品を選択し、家電情報については、家で使用している商品を選択するように、商品種別に応じてその選択方法を変えることにより、より適切な商品をユーザに提示することができる。例えば、家庭用電気製品がプリンタである場合には、そのプリンタで使用できるインクカートリッジをユーザに提示するようにすることができ、使用できないインクカートリッジについてはユーザに提示しないようにすることができる。
【００１２】
また、本発明の携帯端末における上記商品選択手段は、上記受信手段により受信された販売促進情報に記述されている商品の店舗における在庫状況を示す在庫情報に基づいて、商品を選択することが好ましい。
【００１３】
この構成により、受信された販売促進情報に記述されている商品の店舗における在庫状況を示す在庫情報に基づいて、商品を選択することができ、在庫として残っていない商品については、ユーザに提示しないようにすることができる。
【００１４】
また、本発明の商品販売促進システムは、携帯端末と、着脱自在な消耗品を有する家庭用電気製品と、店舗に配置される情報配信装置とから構成される商品販売促進システムにおいて、上記家庭用電気製品は、消耗品を示す家電情報または消耗品情報を記憶する消耗品情報記憶手段と、上記携帯端末からの要求に応じて、上記消耗品情報記憶手段に記憶されている家電情報または消耗品情報を上記携帯端末に送信する消耗品情報送信手段と、を備え、上記情報配信装置は、店舗で販売される商品のうち販売促進対象となる商品を示す販売促進情報を記憶する販売促進情報記憶手段と、上記携帯端末からの要求に応じて上記携帯端末に、上記販売促進情報記憶手段に記憶されている販売促進情報を送信する送信手段と、を備えている。
【００１５】
この構成により、家庭用電気製品は、消耗品を示す家電情報または消耗品情報を記憶しておき、上記携帯端末からの要求に応じて、記憶されている家電情報または消耗品情報を上記携帯端末に送信することができ、また、情報配信装置は、店舗で販売される商品のうち販売促進対象となる商品を示す販売促進情報を記憶しておき、携帯端末からの要求に応じて上記携帯端末に、記憶されている販売促進情報を送信することができる。これにより、ユーザごとに適切な商品購入を促進するための電子情報を提供することができる。
【００１６】
また、本発明の商品販売促進システムにおける上記家庭用電気製品は、さらに、装着される消耗品の消耗程度を判断する判断手段を備え、上記判断手段により上記消耗品が消耗していると判断された場合、その消耗品情報を上記消耗品情報記憶手段に記憶させることが好ましい。
【００１７】
この構成により、消耗品が消耗していると判断された場合、その消耗品情報を記憶させることができ、より適切な商品をユーザに提示することができる。
【発明の効果】
【００１８】
本発明は、ユーザが要求することなく、ユーザごとに適切な商品購入を促進するための電子情報を提供することができる。
【発明を実施するための最良の形態】
【００１９】
本発明は、一実施形態のために示された添付図面を参照して以下の詳細な記述を考慮することによって容易に理解することができる。引き続いて、添付図面を参照しながら本発明の実施形態を説明する。可能な場合には、同一の部分には同一の符号を付して、重複する説明を省略する。
【００２０】
図１は、本実施形態の携帯端末１０１を用いた商品販売促進システムを示すシステム構成図である。この通信システムは、携帯端末１０１、家庭用電気製品（以下、家電）１０２、店舗デバイス１０３から構成されている。携帯端末１０１は、宅内ネットワーク１０４を経由して一つまたは複数の家電１０２と通信接続している。また、携帯端末１０１は、店舗ネットワーク１０５を経由して一つまたは複数の情報配信装置である店舗デバイス１０３と通信接続している。ここで、宅内ネットワーク１０４は、例えば公衆移動通信網、ＷＬＡＮなどが挙げられる。また、店舗ネットワーク１０５は、例えば、公衆移動通信網、ＷＬＡＮが挙げられるほか、無線タグまたはブルートゥースを用いた短距離無線通信を用いたネットワークが挙げられる。
【００２１】
この携帯端末１０１は、家庭で単独で消費される消耗品を示す消耗品情報、例えば家電１０２が冷蔵庫である場合には、この家電１０２に保存されている食料品を示す情報を消耗品情報として家電１０２から受信することができる。また、携帯端末１０１は、家庭用電気製品に装着されることで使用される消耗品を示す家電情報、例えば家電１０２がプリンタである場合には、この家電１０２に装着されるインクカートリッジを特定する情報（例えば型番）を家電情報として家電１０２から受信することができる。そして、携帯端末１０１は、これら消耗品情報または家電情報を受信し、記憶する。
【００２２】
一方、携帯端末１０１は、店舗デバイス１０３から販売促進情報、例えば特売品を示す商品情報を受信し、これを記憶することができる。携帯端末１０１は、家電１０２から受信した消耗品情報または家電情報に基づいて、店舗デバイス１０３から受信した販売促進情報から適切な商品を選択して、ユーザに通知することができる。この選択方法については後述する。
【００２３】
このような通信システムにおいて使用される携帯端末１０１の構成について説明する。図２は、携帯端末１０１の機能を示すブロック構成図である。この携帯端末１０１は、通信部２０１（受信手段）、情報提示部２０２（提示手段）、店内情報保持部２０３（記憶手段）、家電情報保持部２０４（記憶手段）、商品推薦判断部２０５（商品選択手段）、および制御部２０６を含んで構成されている。
【００２４】
この機能を実現するために、図３に示すハードウェア構成により携帯端末１０１は構成されている。携帯端末１０１は、物理的には、図３に示すように、ＣＰＵ１２、主記憶装置であるＲＡＭ１３及びＲＯＭ１４、入力デバイスであるキーボード及びマウス等の操作部１５、無線通信により無線通信を行うデータ送受信デバイスである無線通信モジュール１６、ディスプレイ１７などを含むコンピュータシステムとして構成されている。図２において説明した各機能は、図３に示すＣＰＵ１２、ＲＡＭ１３等のハードウェア上に所定のコンピュータソフトウェアを読み込ませることにより、ＣＰＵ１２の制御のもとで無線通信モジュール１６、操作部１５、ディスプレイ１７を動作させるとともに、ＲＡＭ１３におけるデータの読み出し及び書き込みを行うことで実現される。以下、図２に示す機能ブロックに基づいて、各機能ブロックを説明する。
【００２５】
通信部１０１は、他のノードである家電１０２および店舗デバイス１０３と通信する部分である。この通信部１０１は、家電１０２から消耗品情報または家電情報を受信し、店舗デバイス１０３から販売促進情報を受信する。また、通信部１０１は、ユーザの操作にしたがって、家電１０２に対して家電情報または消耗品情報の要求を送信する。
【００２６】
情報提示部２０２は、ユーザに情報を提示するディスプレイまたはスピーカである。
【００２７】
店内情報保持部２０３は、通信部２０１により受信された、店舗の在庫状況を示す在庫情報および商品販売促進情報を保持する部分である。
【００２８】
家電情報保持部２０４は、通信部２０１により受信された消耗品情報および家電情報を保持する部分である。なお、消耗品情報には、食料品を示す情報のほか、雑貨など生活必需品等を含む。
【００２９】
商品推薦判断部２０５は、店内情報保持部２０３に保持されている在庫情報および商品販売促進情報、並びに家電情報保持部２０４に保持されている消耗品情報および家電情報に基づいて、ユーザの状況にあった購入を推薦する商品を選択する部分である。具体的には、商品推薦判断部２０５は、商品販売促進情報として記述されていない商品であって、在庫情報および消耗品情報に記述されている商品を、購入を推薦する商品として決定する。また、商品推薦判断部２０５は、商品販売促進情報に記述されている商品であって、在庫情報および家電情報に記述されている商品を、購入を推薦する商品として決定する。
【００３０】
すなわち、商品推薦判断部２０５は、食料品、雑貨など消耗品については、家庭にない消耗品であって、商品販売促進情報に記述されている商品から購入を推薦する商品と決定することで、家庭にないものを効率的にユーザに提示することができる。逆に、商品推薦判断部２０５は、プリンタのインクカートリッジ、掃除機の紙パックなど家庭用電気製品に装着されることにより使用される消耗品については、家庭にある消耗品であって、商品販売促進情報に記述されている商品から購入を推薦する商品と決定することで、家庭で使用することができる商品を効率的にユーザに提示することができる。
【００３１】
制御部２０６は、上述の通信部２０１、情報提示部２０２、店内情報保持部２０３、家電情報保持部２０４、および商品推薦判断部２０５に対して統括制御を行う部分である。
【００３２】
つぎに、このような構成を有する携帯端末１０１に対して、家電情報または消耗品情報を送信する家電１０２、商品販売促進情報を送信する店舗デバイス１０３の構成について説明する。
【００３３】
図４は、家電１０２のブロック構成図である。家電１０２は、通信部３０１（消耗品情報送信手段）、情報取得部３０２、家電情報管理部３０３（消耗品情報記憶手段）、残量検知部３０４（判断手段）、および制御部３０５を含んで構成されている。これら各機能は、上述したようにＣＰＵ、ＲＯＭ、ＲＡＭ等から構成されるハードウェアにより実現される。以下、各構成要素について説明する。
【００３４】
通信部３０１は、宅内ネットワーク１０４と通信接続することができ、携帯端末１０１からの要求を受信し、その応答として情報取得部３０２により取得された家電情報または消耗品情報を携帯端末１０１に送信する部分である。
【００３５】
情報取得部３０２は、通信部３０１により、携帯端末１０１から消耗品情報または家電情報の取得要求を受けると、その家電情報または消耗品情報を取得する部分である。例えば、家電１０２が冷蔵庫であった場合には、情報取得部３０２は、その冷蔵庫に保管されている食料品を示す食料品情報（消耗品情報に相当）を取得する。この食料品情報は、食料品に付加されている無線タグを読み取ることで取得される。また、家電１０２が、プリンタである場合には、情報取得部３０２は、その形式番号（家電情報に相当）、動作状態であるインクカートリッジの残量を示す情報（家電情報に相当）を取得する。また、家電１０２が照明器具である場合には、その形式番号、取替え時期または累積使用時間等を取得する。
【００３６】
家電情報管理部３０３は、情報取得部３０２により取得された消耗品情報または家電情報を記憶する部分であり、携帯端末１０１からの要求があった場合、記憶されている消耗品情報または家電情報を、通信部３０１を介して携帯端末１０１に出力させる。なお、家電情報管理部３０３は、残量検知部３０４により検知された消耗品の残量が所定値以下となった場合に、その消耗品情報を記憶するようにしても良い。例えば、家電１０２がプリンタである場合には、インクカートリッジのインク残量が少なくなったときのみ、インクカートリッジの形式番号を記憶し、また照明器具である場合には累積使用時間が予め定めた時間以上のときのみ、その照明器具の形式番号を記憶するようにしても良い。この場合、より効率よく必要な家電に関する商品をユーザに知らせることができる。
【００３７】
残量検知部３０４は、家電１０２に装着される消耗品の消耗度合い（例えば、インクカートリッジのインクの残量、蛍光灯の累積点灯時間等）を検知する部分であり、消耗品が所定の消耗度合い以上となった場合には、家電情報管理部３０３に消耗品情報を記憶させるようにする。
【００３８】
制御部３０５は、これら通信部３０１、情報取得部３０２、家電情報管理部３０３、残量検知部３０４を統括制御する部分である。
【００３９】
つぎに、店舗デバイス１０３の構成について説明する。図５は、店舗デバイス１０３のブロック構成図である。店舗デバイス１０３は、通信部４０１（販売促進情報送信手段）、情報取得部４０２、在庫情報管理部４０３、商品販売促進情報管理部４０４（販売促進情報記憶手段）、および制御部４０５を含んで構成されている。この店舗デバイス１０３についても携帯端末１０１等と同様に、ＣＰＵ、ＲＡＭ、ＲＯＭ等のハードウェアから構成されている。以下、各構成要素について説明する。
【００４０】
通信部４０１は、店舗ネットワーク１０５と通信接続することができ、携帯端末１０１に対して、情報取得部４０２により取得され、在庫情報管理部４０３および商品販売促進情報管理部４０４に保持されている在庫情報および商品販売促進情報を携帯端末１０１に送信する部分である。この通信部４０１は、予め定められた携帯端末１０１に対して電子メール等を用いて、在庫情報および商品販売促進情報を送信しても良いし、近距離無線通信を用いて、近くに来た携帯端末１０１に対して在庫情報および商品販売促進情報を出力するようにしても良い。
【００４１】
情報取得部４０２は、店内に保管されている商品の在庫情報および商品販売促進情報を取得する部分である。在庫情報は、店内の棚に置かれている商品または倉庫に置かれている商品の在庫状況（在庫数）を示す情報であり、この在庫情報はオペレータにより入力されることで生成され、生成された在庫情報は情報取得部４０２に取得される。なお、オペレータにより入力されるものに限らず、商品に付加されている無線タグがタグリーダ（図示せず）により読み取られることにより在庫状況を示す在庫情報を自動的に生成し、情報取得部４０２により取得されるようにしても良い。
【００４２】
また、商品販売促進情報は、特売品を示す商品を示す情報であり、店内のオペレータにより生成される情報である。この商品販売促進情報は、定期的にオペレータにより生成され、情報取得部４０２により取得される。
【００４３】
ここで、商品販売促進情報の具体例について説明する。図６は、商品販売促進情報の具体例を示す説明図である。図６に示すとおり、商品販売促進情報は、商品情報（商品名、製造者、型番等）、販売数量、価格、およびカテゴリーが対応付けられて記述されている情報である。例えば、図６では、１リットルの牛乳が１００円であり、そのカテゴリーは食料品であることが記述されている。
【００４４】
在庫情報管理部４０３は、情報取得部４０２により取得された在庫情報を保持する部分である。
【００４５】
商品販売促進情報管理部４０４は、情報取得部４０２により取得された商品販売促進情報を保持する部分である。
【００４６】
制御部４０５は、通信部４０１、情報取得部４０２、在庫情報管理部４０３、商品販売促進情報管理部４０４を統括制御する部分である。
【００４７】
このように店舗デバイス１０３は、店内の在庫状況を示す在庫情報および特売品等を知らせる商品販売促進情報を携帯端末１０１に通知することができ、携帯端末１０１のユーザは、在庫情報および商品販売促進情報に基づいた購入すべき商品を知ることができる。
【００４８】
つぎに、このように構成された携帯端末１０１、家電１０２、および店舗デバイス１０３の動作について説明する。図７は、消耗品情報、家電情報、在庫情報および商品販売促進情報を取得するときの携帯端末１０１の動作を示すフローチャートである。
【００４９】
携帯端末１０１は、家電１０２または店舗デバイス１０３からの情報受信待ち状態となっている（Ｓ１０１）。その後、家電１０２から消耗品情報または家電情報が受信されるか、または店舗デバイス１０３から在庫情報および商品販売促進情報が受信されるかが判断される（Ｓ１０２）。ここで、家電１０２から消耗品情報または家電情報が受信されるか、または店舗デバイス１０３から在庫情報および商品販売促進情報が受信されたと判断された場合、それぞれどの情報が受信されたかが判断される（Ｓ１０４）。すなわち、家電１０２から情報が受信された場合には、家電情報保持部２０４に消耗品情報または家電情報が記憶され、店舗デバイス１０３から情報が受信された場合には、店内情報保持部２０３に商品販売促進情報および在庫情報が記憶される（Ｓ１０５）。
【００５０】
また、携帯端末１０１のユーザの操作により、家電１０２または店舗デバイス１０３に対して、消耗品情報および家電情報または在庫情報および商品販売促進情報の要求が行われた場合（例えばユーザ操作により要求が行われた場合）には（Ｓ１０３）、それぞれ家電１０２または店舗デバイス１０３に対して各種情報に対する要求信号が送信される（Ｓ１０６）。家電１０２または店舗デバイス１０３では、携帯端末１０１からの要求に応じて、家電１０２からは消耗品情報および家電情報が送信され、店舗デバイス１０３からは在庫情報および商品販売促進情報が送信され、携帯端末１０１では、上述Ｓ１０２の処理にしたがった受信処理が行われる。
【００５１】
このような処理により携帯端末１０１では、消耗品情報および家電情報、または在庫情報および商品販売促進情報を取得し、これら情報を記憶することができる。
【００５２】
つぎに、上述の通り各種情報を記憶した携帯端末１０１において、消耗品情報、家電情報、在庫情報および商品販売促進情報に基づいて、ユーザにとって必要な商品を提示するための処理について説明する。図８は、消耗品情報、家電情報、在庫情報および商品販売促進情報に基づいて、ユーザにとって必要な商品を提示するときの携帯端末１０１の動作を示すフローチャートである。
【００５３】
携帯端末１０１のユーザが、商品販売促進情報に基づいて商品購入リストをリストアップさせる機能を携帯端末１０１に実行させる操作を行うと、店内情報保持部２０３に記憶されている在庫情報が店内情報保持部２０２から商品推薦判断部２０５により取得される（Ｓ２０１）。つぎに、消耗品情報または家電情報が家電情報保持部２０４から商品推薦判断部２０５により取得される（Ｓ２０２）。そして、商品販売促進情報が店内情報保持部２０２から商品推薦判断部２０５により取得される（Ｓ２０３）。
【００５４】
Ｓ２０３により取得された商品販売促進情報のうちの一つが商品推薦判断部２０５により取得される（Ｓ２０４）。そして、Ｓ２０１で取得された在庫情報に基づいて、一の商品販売促進情報で示される商品が在庫として残っているか否かが、在庫情報に基づいて商品推薦判断部２０５により判断される（Ｓ２０５）。ここで在庫として店舗に残っていると判断された場合、当該一の商品販売促進情報で示されている商品のカテゴリーが家電カテゴリーであるか、他の消耗品カテゴリーであるかが、商品推薦判断部２０５により判断される（Ｓ２０６）。例えば、図６に示す商品販売促進情報に記述されているカテゴリー種別に基づいて、Ｓ２０４で取得された商品販売促進情報で示される商品が、プリンタ等の家電カテゴリーに属するのか、食料品等の消耗品カテゴリーに属するのかが判断される。
【００５５】
Ｓ２０６において、消耗品カテゴリーに属すると判断された場合、消耗品カテゴリーに属する商品を選択するための処理が行われる。具体的には、Ｓ２０４で取得された商品販売促進情報で示される商品が、Ｓ２０２で取得された消耗品情報に示されていない場合、商品推薦判断部２０５により、そのＳ２０４で取得された商品販売促進情報で示される商品が、購入推薦商品として選択される（Ｓ２０７）。
【００５６】
図９に、消耗品情報と商品販売促進情報とに基づいてユーザに提示する情報が選択されたことを示す説明図を示す。図９に示すように、家電情報保持部２０４に保持されている消耗品情報７０１には冷蔵庫内の在庫リストとして、卵、牛乳が記述されている。また、店内情報保持部２０３に保持されている商品販売促進情報７０２には、本日のお買得商品リストとして、烏龍茶、ヨーグルト、卵、牛乳が記述されている。
【００５７】
Ｓ２０７においては、消耗品情報７０１と商品販売促進情報７０２とを比較し、商品販売促進情報７０２に記述されている商品のうち消耗品情報７０１に記述されていない商品をユーザに提示する情報７０３を提示するよう、商品推薦判断部２０５により選択される。図９においては、ユーザに提示する情報として、烏龍茶、ヨーグルトが提示される。
【００５８】
また、Ｓ２０６において、家電カテゴリーに属すると判断された場合、家電カテゴリーに属する商品を選択するための処理が行われる。具体的には、Ｓ２０４で取得された商品販売促進情報で示される商品が、Ｓ２０２で取得された家電情報で示されている商品に関連する商品である場合、商品推薦判断部２０５により、そのＳ２０４で取得された商品販売促進情報で示される商品が、購入推薦商品として選択される（Ｓ２０８）。
【００５９】
また、図１０に、家電情報と商品販売促進情報とに基づいてユーザに提示する情報が選択されたことを示す説明図を示す。図１０に示すように、家電情報保持部２０４に保持されている家電情報８０１にはプリンタのカートリッジ型番としてＡＢＣＤ−１２３４が記述されている。また、店内情報保持部２０３に保持されている商品販売促進情報８０２には、お買得プリンタカートリッジリストとして型番ＡＢＣＤ−１２３４、型番ＡＢＣＤ−２３４５が記述されている。
【００６０】
Ｓ２０８においては、家電情報８０１と商品販売促進情報８０２とを比較し、商品販売促進情報８０２に記述されている商品のうち家電情報８０１に記述されている商品をユーザに提示する情報８０３を提示するよう、商品推薦判断部２０５により選択される。図１０においては、ユーザに提示する情報として、型番ＡＢＣＤ−１２３４が提示される。
【００６１】
このようにして、Ｓ２０７またはＳ２０８において商品が選択されると、商品販売促進情報につぎに記述されている商品があるか否かが判断され、ある場合には、Ｓ２０４に戻り、つぎの商品販売促進情報に記述されている商品が取得される。また、ない場合には、処理を終了し、選択された商品がユーザに提示される（Ｓ２１０）。
【００６２】
このような携帯端末１０１の作用効果、およびこの携帯端末１０１、家電１０２、および店舗デバイス１０３を用いたシステムにおける作用効果について説明する。
【００６３】
携帯端末１０１において、家庭で単独で消費される消耗品、例えば食料品を示す消耗品情報を家電情報保持部２０４が記憶する。そして、通信部２０１が店舗で販売される商品のうち販売促進対象となる商品を示す販売促進情報を受信し、商品推薦判断部２０５が、受信された販売促進情報と記憶されている消耗品情報とを比較して、販売促進情報に記述されていない商品が消耗品情報に記述されていた場合には、当該記述されていない商品を購入候補として選択する。情報提示部２０２は、選択された商品を購入推薦情報としてユーザに提示することができる。これにより、ユーザごとに適切な商品購入を促進するための電子情報を提供することができる。
【００６４】
また、携帯端末１０１において、家庭用電気製品に装着されることで使用される消耗品、例えばインクカートリッジ等を示す家電情報および家庭で単独で消費される消耗品、例えば食料品等を示す消耗品情報を、家電情報保持部２０４が記憶する。そして、通信部２０１は、店舗で販売される商品のうち販売促進対象となる商品を示す販売促進情報を受信する。商品推薦判断部２０５は、受信された販売促進情報と記憶されている消耗品情報とを比較して、販売促進情報に記述されていない商品が消耗品情報に記述されていた場合には、当該記述されていない商品を購入候補として選択するとともに、受信された販売促進情報と記憶されている家電情報とを比較して、一致している商品が商品情報に記述されていた場合、当該記述されていた商品を購入候補として選択する。情報提示部２０２は、選択された商品を購入推薦情報としてユーザに提示することができる。これにより、ユーザごとに適切な商品購入を促進するための電子情報を提供することができる。さらに、消耗品情報については、家にない商品を選択し、家電情報については、家で使用している商品を選択するように、商品種別に応じてその選択方法を変えることにより、より適切な商品をユーザに提示することができる。例えば、家庭用電気製品がプリンタである場合には、そのプリンタで使用できるインクカートリッジをユーザに提示するようにすることができ、使用できないインクカートリッジについてはユーザに提示しないようにすることができる。
【００６５】
また、携帯端末１０１において、商品推薦判断部２０５は、受信された販売促進情報に記述されている商品の店舗における在庫状況を示す在庫情報に基づいて、商品を選択することができ、在庫として残っていない商品については、ユーザに提示しないようにすることができる。
【００６６】
また、携帯端末１０１、家電１０２、店舗デバイス１０３から構成されるシステムにおいて、家電１０２は、家電情報管理部３０３に消耗品を示す家電情報または消耗品情報を記憶しておき、携帯端末１０１からの要求に応じて、通信部３０１は記憶されている家電情報または消耗品情報を携帯端末１０１に送信することができる。また、情報配信装置である店舗デバイス１０３は、店舗で販売される商品のうち販売促進対象となる商品を示す販売促進情報を在庫情報管理部４０３に記憶しておき、携帯端末からの要求に応じて携帯端末１０１に、記憶されている販売促進情報を送信することができる。これにより、ユーザごとに適切な商品購入を促進するための電子情報を提供することができる。
【００６７】
また、家電１０２は、消耗品が消耗していると判断された場合、その消耗品情報を記憶させることができ、ここに記憶されている消耗品情報を携帯端末１０１が受けることができ、より適切な商品をユーザに提示することができる。
【図面の簡単な説明】
【００６８】
【図１】本実施形態の携帯端末１０１を用いた商品販売促進システムを示すシステム構成図である
【図２】携帯端末１０１の機能を示すブロック構成図である。
【図３】携帯端末１０１のハードウェア構成を示す構成図である。
【図４】家電１０２のブロック構成図である。
【図５】店舗デバイス１０３のブロック構成図である。
【図６】商品販売促進情報の具体例を示す説明図である。
【図７】消耗品情報、家電情報、在庫情報および商品販売促進情報を取得するときの携帯端末１０１の動作を示すフローチャートである。
【図８】ユーザにとって必要な商品を提示するときの携帯端末１０１の動作を示すフローチャートである。
【図９】消耗品情報と商品販売促進情報とに基づいてユーザに提示する情報が選択されたことを示す説明図である。
【図１０】家電情報と商品販売促進情報とに基づいてユーザに提示する情報が選択されたことを示す説明図である。
【符号の説明】
【００６９】
１０１…携帯端末、１０１…通信部、１０２…家電、１０３…店舗デバイス、１０４…宅内ネットワーク、１０５…店舗ネットワーク、２０１…通信部、２０２…情報提示部、２０３…店内情報保持部、２０４…家電情報保持部、２０５…商品推薦判断部、２０６…制御部、３０１…通信部、３０２…情報取得部、３０３    …家電情報管理部、３０４…残量検知部、３０５…制御部、４０１…通信部、４０２…情報取得部、４０３…在庫情報管理部、４０４…商品販売促進情報管理部、
４０５…制御部。
【図１】
2008027361.tif 000003
【図２】
2008027361.tif 000004
【図３】
2008027361.tif 000005
【図４】
2008027361.tif 000006
【図５】
2008027361.tif 000007
【図６】
2008027361.tif 000008
【図７】
2008027361.tif 000009
【図８】
2008027361.tif 000010
【図９】
2008027361.tif 000011
【図１０】
2008027361.tif 000012